(57)【特許請求の範囲】
【請求項１】
カラー画像を表示する方法であって、各カラー画像は複数の画像成分から形成され、画像成分の各画素は同じ所定の表示原色における当該画素の色成分を表現し、前記複数の画像成分は緑の色相の原色における少なくとも１つの画像成分を含み、
カラー画像毎に、
色割れの不具合を削減するために、前記緑の色相の原色における少なくとも１つの画像成分の空間フィルタリングを、前記緑の色相の原色とは異なる原色における同一の画像の他の画像成分を空間フィルタリングせずに前記少なくとも１つの画像成分の一部の遷移領域における空間周波数を変更することにより行うステップと、
前記複数の画像成分の複数のシリーズを連続表示する一方、同一のシリーズの全ての前記画像成分を同時に表示するステップであって、各シリーズは少なくとも１つの画像成分を含み、前記複数のシリーズは前記少なくとも１つの空間フィルタリングされた画像成分を含む、前記ステップと、
を含む、前記方法。
【請求項２】
前記緑の色相の原色における少なくとも１つの画像成分の、前記変更された一部は、当該カラー画像の全ての画素を含む、請求項１に記載のカラー画像を表示する方法。
【請求項３】
前記カラー画像へ妨害パターンを挿入するステップを含み、
前記カラー画像への妨害パターンの挿入は、前記カラー画像の第１のグループの画像成分の画素群の色成分の値についての第１の変更と、当該第１の変更に相対する、前記カラー画像の第２のグループの他の画像成分の同じ画素群の前記色成分の値についての第２の変更とによって、前記第１の変更及び前記第２の変更が表示の際に色の融合によって互いに打ち消し合うようになされ、前記緑の色相の原色の少なくとも１つの画像成分の前記空間フィルタリングされた一部は前記妨害パターンに対応する、請求項１に記載のカラー画像を表示する方法。
【請求項４】
前記複数の画像成分は同じ原色において複数の画像成分を含む、請求項３に記載のカラー画像を表示する方法。
【請求項５】
前記複数の画像成分は少なくとも４つの異なる原色に対応し、
前記方法は、前記カラー画像へ妨害パターンを挿入するステップを含み、
前記カラー画像への妨害パターンの挿入は、前記カラー画像の画素群の色成分の値の変更によってなされ、前記変更は、色成分の値が変更された各画素の表示によって生成された色が、同じ画素の表示によって生成された色がその色成分の値を変更せずに認識されるのと同じように、人の目によって認識されるようになされ、これら２つの生成された色は波長に関して異なるスペクトルを有し、前記緑の色相の原色の少なくとも１つの画像成分の前記空間フィルタリングされた一部は前記妨害パターンに対応する、請求項１に記載のカラー画像を表示する方法。
【請求項６】
カラー画像を表示する装置であって、各カラー画像は複数の画像成分から形成され、画像成分の各画素は同じ所定の表示原色における当該画素の色成分を表現し、前記複数の画像成分は緑の色相の原色における少なくとも１つの画像成分を含み、
前記複数の画像成分の複数のシリーズを連続表示する機器であって、各シリーズは少なくとも１つの画像成分を含み、画像毎に、同じシリーズの画像成分の全てを同時に表示するように構成されており、前記連続表示の前に、前記緑の色相の原色における少なくとも１つの画像成分を処理する画像処理部を備え、前記処理は、前記緑の色相の原色における前記画像成分の一部における遷移領域に対応する空間周波数の変更を、前記緑の色相の原色とは異なる原色における前記画像成分の対応する一部における同一の遷移領域に対応する前記空間周波数を変更せずに行うことにより、色割れの不具合を削減することを含む、前記機器と、
を備える、前記装置。
【請求項７】
前記装置は前記カラー画像へ妨害パターンを挿入する手段を備え、前記カラー画像への妨害パターンの挿入は、前記カラー画像の第１のグループの画像成分の画素群の色成分の値についての第１の変更と、前記第１の変更に相対する、前記カラー画像の第２のグループの他の画像成分の同じ画素群の前記色成分の値についての第２の変更とによってなされ、前記第１の変更及び前記第２の変更は表示の際に色の融合によって互いに打ち消し合うのに適しており、前記緑の色相の原色における少なくとも１つの画像成分の前記処理された一部は前記妨害パターンに対応する、請求項６に記載のカラー画像を表示する装置。
【請求項８】
前記複数の画像成分は少なくとも４つの異なる原色に対応し、
前記装置は、前記カラー画像へ妨害パターンを挿入する手段を備え、前記カラー画像への妨害パターンの挿入は、前記カラー画像の画素群の色成分の値の変更によってなされ、前記変更は、色成分の値が変更された各画素の表示によって生成された色が、同じ画素の表示によって生成される色がその色成分の値を変更せずに認識されるのと同じように、人の目によって認識されるようになされ、これら２つの生成された色は波長に関して異なるスペクトルを有し、前記緑の色相の原色内における少なくとも１つの画像成分の前記処理された一部は前記妨害パターンに対応する、請求項６に記載のカラー画像を表示する装置。
【発明の詳細な説明】
【技術分野】
【０００１】
本発明は、カラー画像を連続的に表示する方法に関する。本発明はまた、映写室での画像の違法コピー・海賊盤作成を防止することを目的として、目には見えないがビデオカメラによれば検出できる妨害パターンが挿入された画像の表示に関する。
【背景技術】
【０００２】
３原色の従来の表示方法において、投影によって画像を表示する２種類のデジタル機器が公知である。
【０００３】
１つは、画像を表示するための各プライマリ「チャネル」用のマイクロイメージャを有するプロジェクタである（一般にはＬＣＤタイプ又はＬＣＯＳタイプ）。各々のマイクロイメージャは、第１に赤の色相、第２に緑の色相、そして第３に青の色相の、表示される当該画像の画像成分を形成する。これら３つの画像成分は当該画像を表示するための同じシリーズを形成する。複数のマイクロイメージャは、同じシリーズの画像成分が、表示すべき画像を形成して、同時にスクリーン上で表示されるように、同じスクリーン上の光学システムによって画像化される。これが先行技術の第１の従来の表示方法である。
【０００４】
もう１つは、全てのプライマリ「チャネル」用の１つのマイクロイメージャを有するプロジェクタである（一般には「ＤＭＤ」タイプ、すなわちデジタルマイクロミラーデバイス）。当該プロジェクタは一般に、１つのマイクロイメージャが各表示原色を使用して連続的に照射されることを可能にするカラーホイール（又はこれと均等な装置）を有している。１つのマイクロイメージャは第１に赤の色相、第２に緑の色相、そして第３に青の色相の各画像成分を連続的に形成する。各画像成分は異なるシリーズを形成する。マイクロイメージャは、画像成分の各シリーズが観察者の目における色の融合によって表示されるべき画像を形成するために連続的にスクリーン上において表示されるように、投影スクリーン上において光学システムによって画像化される。これが先行技術の第２の従来の表示方法である。当該連続的な表示方法は特定の状況下において目に認識され得るフリッカ（ちらつき）を生じさせる。そうなると、目は違和感を覚えさせる色割れの不具合に気付く。この人工的な傷は、輪郭がはっきりした画像の場合、すなわち空間周波数の高い画像の場合により明確に目に見えてくる。これら輪郭は当然ながら画像の遷移領域に位置する。逆に、空間周波数の低い画像の遷移領域は概して（しかし常にではないが）輪郭の欠如を示している。
【発明の概要】
【０００５】
本発明に係る表示方法は、従って、先行技術の第２の表示方法を使用し、必要に応じて第１の表示方法も加えて使用する。よって、プロジェクタは画像成分の各シリーズ用の１つのマイクロイメージャを有する。本発明の１つの目的は色割れの不具合を削減することである。
【０００６】
人間の視覚は時空間コントラストを知覚するために非常に特殊な性質を有している。特にこれらは網膜照度によって異なる。網膜照度は特にトロランド（ｔｒｏｌａｎｄ：Ｔｒ）という単位によって測定され、１トロランド（１Ｔｒ）は面積１平方ミリメートルの瞳孔を開いて輝度１カンデラ毎平方メートルの面を見る場合の照度に相当する（１Ｔｒ＝１Ｃｄ／ｍ2）。所定の網膜照度と一定のフリッカ振幅に対して、人間の観察者が有し得る例えば４５０ナノメートル前後（青）の第１の波長に対する時間的振動及び／又は空間的振動の知覚は、当該観察者が有し得る例えば第１の波長とは異なる５２０ナノメートル（緑）の第２の波長に対する当該同じ振動の知覚と同一にならないことがありうる。
【０００７】
時間周波数のコントラスト及び／又は空間周波数のコントラスト（垂直の振動及び／又は水平の振動）に対する目の感度の変化が記載されている文献から引用された例が以下の図に示されている。
【０００８】
図１は、１秒当たりの周期（「ｃｐｓ（ｃｙｃｌｅｓ  ｐｅｒ  ｓｅｃｏｎｄ）」又はヘルツ）で表された、白色光及び空間的振動の周波数のヌル点に対する時間的振動の周波数並びに網膜照度により示した図である。
【０００９】
図２は、視覚１度当たりの周期（「ｃｐｄ（ｃｙｃｌｅｓ  ｐｅｒ  ｄｅｇｒｅｅ）」）で表された、一定の網膜照度及び時間的振動の周波数のヌル点に対する空間的振動の周波数並びに色相で表された波長により示した図である。
【００１０】
図３及び図４は、白色光（「無彩色」）及び一定の網膜照度に対する、ヘルツで表された時間的振動の周波数及び視覚１度当たりの周期（「ｃｐｄ」）で表された空間的振動の周波数により示した図である。
【００１１】
これら最後の２つの図によれば、時間的コントラストの感度は、周波数がおよそ８ｃｐｄ未満及び１０Ｈｚ未満になると空間的振動の周波数と共に減少する。
【００１２】
本発明によれば、色割れの不具合を削減するために、空間的コントラストの最高感度での色相の画像成分（単数または複数）の空間的遷移領域に対する空間周波数を削減することが提案される。これら色相内の空間的コントラストの感度が削減され、その後、色割れの不具合は削減される。
【００１３】
このために、本発明の目的はカラー画像を表示する方法であって、各画像は複数の画像成分によって形成され、画像成分の各画素は所定の表示原色における当該画素の色成分を表現し、複数のものは緑の色相の原色の少なくとも１つの画像成分を含み、各画像毎に、
複数の画像成分の複数のシリーズは連続的に表示され、各シリーズは少なくとも１つの画像成分を含み、
同じシリーズの画像成分の全ては同時に表示される方法であって、当該方法は、連続表示の前に、緑の色相の原色とは異なる原色に関連する画像成分の対応する部分と同じ遷移領域に対する全ての空間周波数を変更しないで、緑の色相の原色に関連する少なくとも１つの画像成分の一部の遷移領域に対する空間周波数を削減するのに適した緑の色相の原色に関連する画像成分の一部を処理するステップを有することを特徴としている。
【００１４】
本発明によれば、緑の色相の画像成分の一部（または必要な場合は全部）の空間フィルタリング処理が実行される。当該フィルタリング処理は緑の色相の画像成分内の遷移領域に対応する空間周波数を削減するのに適している。１つの画像の表示において、当該処理は関連原色色相が緑でない場合、他の画像成分の対応する遷移領域には適応されない。「他の画像成分の対応する部分」とは緑の色相の画像成分の処理された部分と同じ画素によって形成された画像の部分を意味する。好ましくは緑の色相の原色に関連する少なくとも１つの画像成分の処理された部分は当該画像の全ての画素を含む。従って、画像成分の全体が処理される。本発明により、色割れの不具合が大きく削減される。
【００１５】
特に緑の色相の画像成分の空間フィルタリングについては、全く異なる用途に用いられる先行技術に記載されている。
【００１６】
−米国特許第６３０１３８４号明細書では、全ての画像成分のノイズを削減するのではなく、人の目が最も敏感な原色に関連する画像成分における空間的な「ノイズ」のみが削減される。このようにしてノイズ除去処理時間内における効率の向上がなされている。
【００１７】
−米国特許第６５９７８０７号明細書における一致した３次元画像の組から深さ情報を取得する記載では、緑の色相は最小の空間周波数の画像成分に割り当てられる。
【００１８】
本発明において、複数の画像成分は同じ原色の複数の画像成分を含むことができる。しかし好ましくは、当該画像成分は異なる色相の原色で同じ画像を形成する。原色は従前のように赤、緑、及び青であってもよく、また黄色の色相、シアンの色相、マゼンタの色相、及びさらに他の色相であってもよい。
【００１９】
第１の変形例によれば、本発明による方法は画像へ妨害パターンを挿入するステップを含み、画像へのパターンの挿入は画像の第１のグループの画像成分の画素群の色成分の値の第１の変更と、第１の変更に相対する、画像の他の画像成分からなる第２のグループの画像成分の同じ画素群の色成分の値の第２の変更と、によってなされる。当該挿入は、表示の際に第１の変更及び第２の変更が色の融合によって互いに相殺し合うようになされ、緑の色相の原色に関する少なくとも１つの画像成分の処理された部分が妨害パターンに対応する。
【００２０】
当該妨害パターンの挿入は米国特許出願公開第２００７１２１９９６号明細書に詳細に記載されている。上記に記載された、表示されるべき画像の所定の画素群の処理によれば、これら画素からなるパターンはパターンが挿入されていない場合に人の目に見えたであろう色と全く同じ色を人の目に見せる。表示されるべき画像は当該パターンの挿入によって変更されるが、特に投影スクリーン上においては、表示されると観察者はパターンが挿入されているかいないか区別できない。しかしながら、本発明によれば、当該投影スクリーン用にビデオカメラによってパターン付き画像を撮像及び録画したものは他の表示装置上で表示するのは非常に困難となる。なぜならばビデオカメラによる画像のサンプリングの時間的特性から、当該パターンは観察者によく見えてしまうからである。このように実装・実施されるので、本発明は米国特許出願公開第２００７１２１９６号明細書に詳細に記載されている「時間変調」と呼ばれる画像の違法コピー・海賊盤対策方法の効果を強化・向上する。
【００２１】
好ましくは、複数の画像成分は同じ原色において複数の画像成分を含む。特に赤、青、及び青の３原色のみからなる装置を用いて当該違法コピー・海賊盤対策方法を実装することは可能である。画像成分の第１のシリーズ及び第２のシリーズは各原色の各々の画像成分からなる。挿入される妨害パターンを形成する画素群の色成分は、２つのシリーズにおいて異なるが、これら色成分の集合は米国特許出願公開第２００７１２１９６号明細書に記載されているように、パターン挿入前の同じ画素の色成分と等しい。
【００２２】
第２の変形によれば、複数の画像成分は少なくとも４つの異なる原色に相当し、本発明による方法は、画像へ妨害パターンを挿入するステップを含み、画像へのパターンの挿入は、画像の画素群の色成分の値の変更によってなされる。各画素の表示によって生成された色の色成分の値が変更されるようになされる変更は、当該画像の色成分の値の変更をしない場合に認識されたであろう同じ画素の表示によって生成された色と同じように人の目によって認識される。これら２つの生成された色は波長に関して異なるスペクトルを有し、かつ緑の色相の原色に関する少なくとも１つの画像成分の処理された部分は、妨害パターンに対応する。
【００２３】
人間の視覚システム（「ＨＶＳ」）の色空間において表現されると、このグループの各画素の色成分の値は、変更後であっても変更前の同じ画素の色成分の値と等しい。このことは、変更後の当該画素の表示によって生成される色が人の目にとっては変更前の当該画素の表示によって生成されたであろう色と同じであることを表している。
【００２４】
このような妨害パターンの挿入は欧州特許第１４１４２５０号（ＳＯＮＹ）明細書及び米国特許出願公開第２００９００３６５０号（ＴＨＯＭＳＯＮ）明細書に詳細に記載されている。当該方法は、画像成分の異なるセットを用いて同じ視覚色を生成できる自由度を持つためには４つ以上の基本原色を必要とする。異なる方法であるが上記のように、表示されるべき画像は、当該パターンの挿入によって変更されるが、特に投影スクリーン上においては、表示されると観察者は区別することができない。しかしながら、本発明によれば、当該投影スクリーン向けにビデオカメラによってパターン付き画像を撮像及び録画したものは他の表示装置上で表示するのは非常に困難となる。なぜならば人間の視覚システムのスペクトル特性とビデオカメラのスペクトル特性とは異なるため、当該パターンは観察者によく見えてしまうからである。このように実装・実施されるので、本発明は欧州特許第１４１４２５０号（ＳＯＮＹ）明細書に詳細に記載されている「見かけ上の一致」による画像の違法コピー・海賊版対策方法の効果を強化・向上する。
【００２５】
本発明の他の目的はカラー画像を表示する装置を提供することであり、各画像は複数の画像成分から形成され、画像成分の各画素は同じ所定の表示原色における当該画素の色成分を表現し、複数のものは緑の色相の原色における少なくとも１つの画像成分を含み、画像毎に、当該装置は、複数の画像成分の複数のシリーズを連続表示するのに適した手段を有し、各シリーズは少なくとも１つの画像成分を含み、当該手段はさらに、同じシリーズの画像成分の全てを同時表示することができ、当該装置は、連続表示の前に、緑の色相の原色における少なくとも１つの画像成分の一部を処理する手段を含むことを特徴とし、処理は緑の色相の原色とは異なる原色における画像成分の対応する部分内の同じ遷移領域に対する全ての空間周波数を変更しないで、緑の色相の原色における一部の画像成分の遷移領域に対する空間周波数を削減するのに適している。
【００２６】
第１の変形例によれば、画像表示装置は、画像へ妨害パターンを挿入する手段を含み、各画像への挿入は、画像の第１のグループの画像成分の画素群の色成分の値の第１の変更と、第１の変更とは異なる画像の第２のグループの画像成分の同じ画素群の色成分の値の第２の変更と、によってなされる。第１の変更及び第２の変更は表示される際に色の融合によって互いに相殺し合う。緑の色相の原色における少なくとも１つの画像成分の処理された部分は妨害パターンに対応する。
【００２７】
第２の変形例によれば、複数の画像成分は少なくとも４つの異なる原色に相当し、画像表示装置は、画像へ妨害パターンを挿入する手段を含み、各画像への挿入は画像の画素群の色成分の値の変更によってなされる。当該変更は各画素の表示によって生成された色の色成分の値が変更されるようになされ、当該生成された色は、色成分の値の変更をしない場合に認識されたであろう同じ画素の表示によって生成された色と同じように人の目によって認識される。これら２つの生成された色は波長に関して異なるスペクトルを有し、緑の色相の原色における少なくとも１つの画像成分の処理された部分は妨害パターンに対応する。
【００２８】
本発明は非限定的な例として提供される以下の説明及び添付された図面を参照することによってさらに理解される。
【図面の簡単な説明】
【００２９】
【図１】図１は１秒当たりの周期（「ｃｐｓ」又はヘルツ）で表された、白色光及び空間的振動の周波数のヌル点に対する時間的振動の周波数並びに網膜照度によるコントラスト感度関数即ち「ＣＳＦ（ｃｏｎｔｒａｓｔ  ｓｅｎｓｉｔｉｖｉｔｙ  ｆｕｎｃｔｉｏｎ）」を示した図である。
【図２】図２は視覚１度当たりの周期（「ｃｐｄ」）で表された、一定の網膜照度及び時間的振動の周波数のヌル点に対する空間的振動の周波数並びに色相で表された波長によるコントラスト感度関数（「ＣＳＦ」）を示した図である。
【図３】図３は白色光（「無彩色」）に対する、ヘルツで表された時間的振動の周波数によるコントラスト感度関数（「ＣＳＦ」）及び視覚１度当たりの周期（「ｃｐｄ」）で表された空間的振動の周波数によるコントラスト感度関数（「ＣＳＦ」）を示した図である。
【図４】図４は一定の網膜照度に対する、ヘルツで表された時間的振動の周波数によるコントラスト感度関数（「ＣＳＦ」）及び視覚１度当たりの周期（「ｃｐｄ」）で表された空間的振動の周波数によるコントラスト感度関数（「ＣＳＦ」）を示した図である。
【図５】図５は本発明を実装・実施するために効果的に使用される表示装置を図式的に示した図である。
【図６】図６は図５の装置の表示原色のスペクトル分布を示した図である。
【発明を実施するための形態】
【００３０】
次に本発明による表示方法を実施可能な画像を表示する装置について説明する。図５を参照すると当該装置は、ほぼ白の色相の照射光を送出する反射鏡を有する多色光源１と、カラーフィルタリング用の２つのセグメントを有し、モータによって駆動され、各フィルタリングセグメントに対して照射光が連続的に照射されるように配置されているホイール２と、光統合用の光管３であって、フィルタリングセグメントの出口部からの照射光を入口部で受光し、出口部で均一な照射面を提供する光管３と、３つのマイクロイメージャ５と、リレー光学系４と、プリズムセット６と、必要に応じて、第１のマイクロイメージャが赤の色相の照射光によって照射され、第２のマイクロイメージャが緑の色相の照射光によって照射され、第３のマイクロイメージャが青の色相の照射光によって照射されるように３つの各マイクロイメージャ５上の統合光管３の出口面を同時に画像化する適切なカラーフィルタと、同じ投影スクリーン（図示せず）上において各マイクロイメージャを画像化するのに適した投影レンズ７と、を含み、プリズムセット６は各マイクロイメージャから来る変調された光を再結合するのに適していると共に、投影レンズ７の入口に光を向けることにも適している。
【００３１】
ホイール２の各フィルタリングセグメントは、赤の範囲、緑の範囲、及び青の範囲の３つの異なる範囲の波長の光を通過させる。赤の範囲及び緑の範囲は異なるものであり、第１のフィルタリングセグメントと第２のフィルタリングセグメントとに分かれる。一方、青の範囲は、２つのフィルタリングセグメントに共通する。
【００３２】
図６を参照すると当該表示装置は、本発明によれば、Ｒ１、Ｇ１、及びＢのそれぞれのスペクトル分布を示す特定の原色の照射光を用いることにより、光源１の照射光がホイール２の第１のフィルタリングセグメントを通過して、各マイクロイメージャを同時に且つ均一に照射する場合と、Ｒ２、Ｇ２、及びＢのそれぞれのスペクトル分布を表す特定の原色の照射光を用いて各マイクロイメージャを同時に且つ均一に照射するために光源１の照射光がホイール２の第２のフィルタリングセグメントを通過する場合と、に適している。ここで、Ｒ１及びＧ１のスペクトル分布はそれぞれＲ２及びＧ２のスペクトル分布と異なるものとする。
【００３３】
従って、当該画像表示装置は、スペクトル分布Ｒ１、Ｇ１及びＢを有する３つの同時原色の第１のシリーズを用い、続いてスペクトル分布Ｒ２、Ｇ２及びＢを有する３つの同時原色の第２のシリーズを用いることによって画像を連続的に表示することができる。
【００３４】
表示される画像は通常、ＲＧＢタイプの３つの原色を含む標準形式によって提供される。また、画像表示装置は、複数の画像処理手段を含む。
【００３５】
これらの画像処理手段は、第１に、画像データを、３つの原色を含む標準形式から６つの原色（ここでは２つの同じ青色を含む）を用いる表示に適した形式へ変換するように適合される。なお、当該６つの原色は第１のシリーズのＲ１、Ｇ１、Ｂ、及び第２のシリーズのＲ２、Ｇ２、Ｂである。より正確には、当該変換が終わると、各画像は複数の画像成分へ変換されて、画像成分の各画素は、各画像成分が表示原色に関連するように、第１のシリーズのＲ１、Ｇ１及びＢの所定の表示原色並びに第２のシリーズのＲ２、Ｇ２、及びＢの所定の表示原色の内の１つにおける当該画素の色成分を表す。これら変換手段は、米国特許第６６４８４７５号、国際出願公開ＷＯ０１／９５５４４号、米国特許第６２５６０７３号、米国特許第６１９１８２６号、及び米国特許第６１４７７２０号明細書により公知のため本明細書には詳述しない。
【００３６】
本発明によれば、これら画像処理手段は第２に、緑の色相のＧ１、Ｇ２の原色に関連する画像成分における遷移領域に相当する空間周波数を減少するのに適しており、緑の色相ではない他の原色であるＲ１、Ｒ２、及びＢの原色に関連する画像成分における同じ遷移領域に相当する空間周波数を変更することはない。従って、当該処理の結果、表示される画像全体において、緑の色相のＧ１、Ｇ２の原色に関連する画像成分における輪郭は、緑の色相ではないＲ１、Ｒ２、及びＢの画像成分における同じ輪郭と比べて、はっきりしていない。
【００３７】
また、画像表示装置は、処理手段によって送信された画像データに従って各マイクロイメージャを制御する手段を含む。この画像データは、２つのカラーフィルタリングセグメントを有するホイール２の回転と同期して送信された画像データである。これら制御手段はそれ自体が公知のため本明細書には詳細に記載しない。
【００３８】
上記の装置を用いてカラー画像の表示に適用された本発明による表示方法の実施例を以下に説明する。
【００３９】
表示される画像毎に、処理手段は、まず、複数の画像成分、すなわち装置の各表示原色用の画像成分を提供する。次に、処理手段は、緑の色相Ｇ１、Ｇ２の原色に関連する画像成分のみに適用され、そして、ここでこれら画像の全ての画素に適用されて、緑の色相のこれら画像成分における遷移領域に対する空間周波数が削減される。他の原色Ｒ１、Ｒ２及びＢに関連する他の画像成分は、空間周波数を削減する処理を受けていないので、処理手段によって提供される複数の画像成分において同じ画素に対する遷移領域の空間周波数は、画像成分によって異なることになる。
【００４０】
画像表示装置を用いて各画像を表示するために、次のような動作・処理が行われる。
【００４１】
光源１の照射光が、各マイクロイメージャが特定の原色Ｒ１、Ｇ１及びＢの照射光を用いて照射されるように、制御手段を用いたマイクロイメージャの適切かつそれ自体知られている制御によって、ホイール２の第１のフィルタリングセグメントを通過するとき、第１のシリーズの原色Ｒ１、Ｇ１及びＢに関連する画像成分が同時に表示されるようにする。
【００４２】
次に、光源１の照射光が、各マイクロイメージャが特定の原色Ｒ２、Ｇ２及びＢの照射光を用いて照射されるように、制御手段を用いたマイクロイメージャの同じ制御によってホイール２の第２のフィルタリングセグメントを通過するとき、第２のシリーズの他の原色Ｒ２、Ｇ２及びＢに関連する画像成分が同時に表示される。
【００４３】
従って、各画像はＲ１、Ｇ１、及びＢのそれぞれのスペクトル分布を有する３つの同時原色の第１のシリーズを用い、続いてＲ２、Ｇ２、及びＢのそれぞれのスペクトル分布を有する３つの同時原色の第２のシリーズを用いて連続的に表示される。
【００４４】
よって、画像成分の異なるシリーズは連続的に表示され、各シリーズは３つの画像成分からなる。
【００４５】
例えば動画像列（ビデオシーケンス）のような画像のシリーズの表示においては、列の画像毎に上記の動作・処理が連続的に行われる。
【００４６】
本発明によれば、投影スクリーンに画像を表示する際のカラーフィルタリングセグメントを有するホイールに起因する色割れの不具合が相当量削減される。
【００４７】
表示される各画像において画像成分は異なるスペクトルの５つの原色Ｒ１、Ｒ２、Ｇ１、Ｇ２及びＢに相当することを示してきた。これは、画像処理を除いては類似した表示装置を使用する国際出願公開ＷＯ２００９／１５００８８号（ＴＨＯＭＳＯＮ）明細書に記載されている違法コピー・海賊盤対策の「メタメリック」パターンの挿入に対して、本発明が利点を有するということである。当該表示方法は、さらに妨害パターンを、表示されるべき画像へ挿入するステップを含む。各原色の色成分の値は表示される画像の各画素に割り当てられる。当該画像成分に関連する原色の色成分の値は表示される当該画像の画像成分の各画素に割り当てられる。表示される少なくとも１つの画像への妨害パターンの挿入は当該画像の所定の画素群の色成分の値の変更によってなされる。当該画素群はパターンを形成する。当該変更は国際公開ＷＯ２００９／１５００８８号明細書に詳細に記載されている。当該変更は各画素の表示によって生成された色の色成分の値が変更されるようになされ、当該色成分の値が変更されない場合に認識されたであろう同じ画素の表示によって生成された色と同じように人の目によって認識される。これら２つの生成された色は波長に関して異なるスペクトルを有しているが人の目には同じように認識される。これはこれら２つの生成された色は人の目にとって同じであることを意味する。さらに、ＣＩＥ−ＸＹＺ表色系又はＣＩＥ−Ｌａｂ色空間のような人間の視覚システム、即ち「ＨＶＳ」の色空間において表されると、これら２つの生成された色は同じ色成分の値を有することも意味する。しかし、人の目にとってこれら２つの生成された色が同じであったとしても、ビデオカメラのような画像撮像装置にとっては同じではない。それは当該画像撮像装置の色空間において表されると、これら２つの生成された色は異なる色成分の値を有することを意味する。従って、妨害パターンは投影スクリーン上において人の目によって検出されないが、同じ投影スクリーン上において画像撮像装置によって検出される。スクリーン上に表示された画像を撮像する装置によって録画して、録画された画像を表示することによって、人の目は妨害パターンを検出し、かつ人の目は録画された画像の表示において当該パターンに違和感を覚える。好ましくは、パターンを形成する所定の画素群は録画した画像を表示する際に最も大きな障害を生成するように公知の手法で選択される。妨害パターンの当該挿入は映写室における画像の違法コピー・海賊盤に対処する際の非常に効果的な方法である。好ましくは、空間周波数を削減する処理は緑の色相Ｇ１、Ｇ２の原色に関連する画像成分の一部、正確には妨害パターンに対応する部分のみに適用される。従って妨害パターンを形成する所定の画素群のみが処理の対象となる。
【００４８】
「メタメリック」パターンの挿入は少なくとも４つの原色を含む表示装置を必要とするので、当該装置を構成する簡単な方法は３つの原色を有する標準プロジェクタにおいてマイクロイメージャの照射部の上流に２つのカラーフィルタリングセグメントを有するホイールを挿入することであり、そうすることで画像表示装置を構成することができる。しかし当該ホイールの挿入によってスクリーン上の目に見える画像へ挿入された妨害パターンを作る可能性のある色割れの不具合を生成してしまう。
【００４９】
これら不具合又は時間的な欠陥・キズは以下の理由により重大な欠点となる。
【００５０】
−パターンの輪郭がはっきりしているため。なぜならはっきりした輪郭は人の目のコントラストの最大感度の範囲に位置する空間周波数を有する画像を生じさせるからである。
【００５１】
−網膜照度（例えば白画素の）が重要であるから。
【００５２】
−時間変調度が高いから。これは画素の時間的ダイナミクス即ち画像成分の第１のシリーズの表示と画像成分の第２のシリーズの表示との間の網膜照度の差の大きさに相当する。
【００５３】
本発明による画像の処理はこれら不具合を制限することを可能にする。
【００５４】
本発明は特定の表示装置を使用して記載された。当業者であれば特許請求の範囲から離れることなく本発明を他の表示装置に適用できることは明らかである。
本発明は以下の態様を含む。
（付記１）
カラー画像を表示する方法であって、各画像は複数の画像成分から形成され、画像成分の各画素は所定の表示原色における当該画素の色成分を表現し、前記複数のものは緑の色相の原色における少なくとも１つの画像成分を含み、
画像毎に、
前記複数の画像成分の複数のシリーズは、連続表示され、各シリーズは少なくとも１つの画像成分を含み、
同じシリーズの全ての画像成分は、同時に表示される
方法であり、
当該方法は、前記連続表示の前に、緑の色相の原色とは異なる原色に関連する画像成分の対応する部分と同じ遷移領域に対する全ての空間周波数を変更せずに、緑の色相の原色に関連する画像成分の一部の遷移領域に対する空間周波数を削減するのに適した緑の色相の原色に関連する少なくとも１つの画像成分の一部を処理するステップ含む、前記方法。
（付記２）
前記緑の色相の原色における少なくとも１つの画像成分の処理された前記一部は、当該画像の全ての画素を含む、付記１に記載のカラー画像を表示する方法。
（付記３）
前記画像へ妨害パターンを挿入するステップを含み、
前記画像へのパターンの前記挿入は、前記画像の第１のグループの画像成分の画素群の色成分の値の第１の変更と、当該第１の変更に相対する、前記画像の第２のグループの他の画像成分の同じ画素群の前記色成分の値の第２の変更とによってなされ、当該挿入は前記第１の変更及び前記第２の変更は表示の際に色の融合によって互いに打ち消し合い、緑の色相の原色に関する少なくとも１つの画像成分の前記処理された部分は前記妨害パターンに対応する、付記１に記載のカラー画像を表示する方法。
（付記４）
前記複数の画像成分は同じ原色において複数の画像成分を含む、付記３に記載のカラー画像を表示する方法。
（付記５）
前記複数の画像成分は少なくとも４つの異なる原色に対応し、
前記方法は、前記画像へ妨害パターンを挿入するステップを含み、
前記画像へのパターンの前記挿入は、前記画像の画素群の色成分の値の変更によってなされ、前記変更は、色成分の値が変更された各画素の表示によって生成された色が、前記画像の色成分の値の変更をしない場合に認識されたであろう同じ画素の表示によって生成された色と同じように人の目によって認識されるようになされ、これら２つの生成された色は波長に関して異なるスペクトルを有し、緑の色相の原色に関する少なくとも１つの画像成分の前記処理された部分が前記妨害パターンに対応する、付記１に記載のカラー画像を表示する方法。
（付記６）
カラー画像を表示する装置であって、各画像は複数の画像成分から形成され、画像成分の各画素は同じ所定の表示原色における当該画素の色成分を表現し、前記複数のものは緑の色相の原色における少なくとも１つの画像成分を含み、画像毎に、
前記装置は、前記複数の画像成分の複数のシリーズを連続表示するのに適した手段を含み、各シリーズは少なくとも１つの画像成分を含み、前記手段は前記同じシリーズの画像成分の全てを同時表示するのに適した手段であり、
当該装置は、連続表示の前に、緑の色相の前記原色における少なくとも１つの画像成分の一部を処理する手段を含み、前記処理は、緑の色相の前記原色とは異なる原色における画像成分の対応する部分内の同じ遷移領域に対する空間周波数を変更せずに、緑の色相の前記原色における前記画像成分の前記一部の遷移領域に対する空間周波数を削減するのに適している、装置。
（付記７）
前記装置は前記画像へ妨害パターンを挿入する手段を含み、当該手段は、各画像へのパターン前記挿入が前記画像の第１のグループの画像成分の画素群の色成分の値の第１の変更と、第１の変更に相対する、前記画像の第２のグループの他の画像成分の同じ画素群の前記色成分の値の第２の変更とによってなされ、前記第１の変更及び前記第２の変更は表示の際に色の融合によって互いに相殺し合い、緑の色相の前記原色における少なくとも１つの画像成分の前記処理された部分は前記妨害パターンに対応する、付記６に記載のカラー画像を表示する装置。
（付記８）
前記複数の画像成分は少なくとも４つの異なる原色に相当し、
前記装置は前記画像へ妨害パターンを挿入する手段を含み、各画像への前記挿入が前記画像の画素群の色成分の値の変更によってなされ、当該変更は、色成分の値が変更された各画素の表示によって生成される色が、色成分の値の変更をしない場合に認識されたであろう同じ画素の表示によって生成される色と同じように人の目によって認識されるようになされ、これら２つの生成された色は波長に関して異なるスペクトルを有し、緑の色相の前記原色内における少なくとも１つの画像成分の前記処理された部分は前記妨害パターンに対応する、付記６に記載のカラー画像を表示する装置。
【図１】
0005990371.tif 000002
【図２】
0005990371.tif 000003
【図３】
0005990371.tif 000004
【図６】
0005990371.tif 000005
【図４】
0005990371.tif 000006
【図５】
0005990371.tif 000007